(57)【要約】      （修正有）【課題】ステアリングコラムを拘束する位置に置かれた際に挿入杆を施錠する手段を提供する。【解決手段】ステアリングコラム用盗難防止装置に関し、この盗難防止装置は、挿入杆１を有しており、この挿入杆１は、ステアリングコラム又はステアリングコラムに固定されている中間要素７の少なくとも内部に、一部を挿入することにより、ステアリングコラムの拘束位置を占めることができる。挿入杆１によるステアリングコラムの拘束は、施錠手段により施錠されており、前記施錠手段は、その少なくとも一部が、挿入杆に設けた嵌合溝２、２’の内部へ進入することができるようになっている可動部材４、４’を、少なくとも２つ有しており、前記２つの可動部材４、４’の少なくとも１つが、前記嵌合溝２、２’に嵌合されるように、前記挿入杆１の少なくとも２つの前記嵌合溝２又は２’又は前記可動部材４又は４’は、軸方向に偏移していることを特徴とする。【選択図】図２
2006219121.tif 000002
【特許請求の範囲】
【請求項１】
挿入杆（１）を有し、この挿入杆（１）は、ステアリングコラム又はステアリングコラムに固定されている中間要素（７）の少なくとも内部に、少なくとも一部を嵌挿することにより、ステアリングコラムの拘束位置を占めることができ、また、ステアリングコラムの解放の位置を占めることができ、さらに挿入杆（１）によるステアリングコラムの拘束は、施錠手段により施錠されており、
前記施錠手段は、可動部材（４）（４’）を、少なくとも２つ有しており、前記可動部材は、その少なくとも一部が、挿入杆（１）に設けた嵌合溝（２）（２’）の内部へ進入することができるようになっており、
前記２つの可動部材の少なくとも１つが、前記嵌合溝（２）又は（２’）に嵌合されるように、前記挿入杆（１）の少なくとも２つの嵌合溝（２）（２’）と前記可動部材（４）（４’）の一方又は双方が、軸方向に偏位していることを特徴とするステアリングコラム用盗難防止装置。
【請求項２】
前記２つの可動部材（４）（４’）は並んで、かつ、平行であり、少なくとも２つの連設された嵌合溝（２）（２’）は、軸方向に偏位していることを特徴とする、請求項１に記載のステアリングコラム用盗難防止装置。
【請求項３】
２つの可動部材（４）（４’）は、軸方向に偏位していることを特徴とする、請求項１に記載のステアリングコラム用盗難防止装置。
【請求項４】
２つの可動部材（４）（４’）の一方には、移動手段（１０）の動作を受けると、前述の嵌合溝（２）（２’）の一方に対して、可動部材（４）（４’）を移動させるための力が与えられるようになっていることを特徴とする、請求項１又は２に記載のステアリングコラム用盗難防止装置。
【請求項５】
前記移動手段（１０）は、ばねより構成されていることを特徴とする、請求項３に記載のステアリングコラム用盗難防止装置。
【請求項６】
前記盗難装置は、可動部材（４）（４’）の保持片（８）を有し、この保持片（８）は、挿入杆（１）がステアリングコラムの拘束の位置にある時、前記可動部材（４）（４’）を拘束することが可能であり、また、前記可動部材（４）（４’）を解放することが可能であることを特徴とする、請求項１〜５のいずれかに記載のステアリングコラム用盗難防止装置。
【請求項７】
前記可動部材（４）（４’）は、方形の断面を有している板より形成されていることを特徴とする、請求項１〜６のいずれかに記載のステアリングコラム用盗難防止装置。
【請求項８】
可動部材（４）（４’）を構成する前記板は、相互に平行であることを特徴とする、請求項５に記載のステアリングコラム用盗難防止装置。
【請求項９】
嵌合溝（２）（２’）は、挿入杆（１）の小さい方の側面（３）の一方に設けられていることを特徴とする、請求項１〜８のいずれかに記載のステアリングコラム用盗難防止装置。
【請求項１０】
嵌合溝（２）（２’）は、５つ設けられることを特徴とする、請求項１〜９のいずれかに記載のステアリングコラム用盗難防止装置。
【請求項１１】
嵌合溝（２）（２’）は、可動部材（４）（４’）の数に対応するＮ本の平行軸上に設けられていることを特徴とする請求項１〜１０のいずれかに記載のステアリングコラム用盗難防止装置。
【発明の詳細な説明】
【技術分野】
【０００１】
本発明は、ステアリングコラム用盗難防止装置に関する。特に、本発明は、ステアリングコラムを拘束位置とした際に、挿入杆を施錠するようにした、施錠装置に関する。
【背景技術】
【０００２】
ステアリングコラム用盗難防止装置には、従来より、挿入杆が用いられている。換言すると、ステアリングコラムに固定されたカラーから、ステアリングコラムの内部、具体的にはその嵌合溝内に、達することができる可動部材を用いている。この挿入杆は、ステアリングホイールの使用を阻止するためのもので、これを使用すると、ステアリングコラムが拘束されて、ステアリングホイールの回転が阻止される。
【０００３】
しかし、ステアリングコラム又はカラーに係合している挿入杆を、嵌合溝から解放することは、ステアリングコラムを拘束する盗難防止装置に接続されているステアリングコラムロックの外側の部品を外すことにより、比較的迅速に行うことができる。この方式においては、車輌の盗難の企て、すなわち、挿入杆を外そうとするのを、阻止する必要がある。
【０００４】
このような理由で、挿入杆を、ステアリングコラムを拘束する位置とした際に、これを施錠する方式について考慮することが必要であった。
【０００５】
この目的のため、盗難防止装置に接続されているロックの一部が破壊されたときに、挿入杆の施錠機構を作動させるようにした案が、英国特許公報ＧＢ２３４６３５４号に記載されている。この装置では、嵌合溝に係合している挿入杆の一部を、無理に解放しようとして、ステアリングコラムロックの主要部品の一つを破壊した時に限り、挿入杆は、ステアリングコラムを拘束する位置にロックされる。
【０００６】
この挿入杆の拘束位置における施錠方式は、欧州特許公報ＥＰ１３７９４１０号に記載の方式と、事実上同じである。
【０００７】
挿入杆を拘束位置で施錠するためのこれらの方式は、主に、盗人がステアリングコラムを解放するのを妨げることを企図しているものであるが、構成が複雑であって、高価となり、また、ステアリングコラムロックや、これに接続されている盗難防止装置に、侵害や破壊が生じたときにのみ、施錠位置が有効に作用するものであって、自動的に作動するものではない。
【発明の開示】
【発明が解決しようとする課題】
【０００８】
本発明の目的は、簡単で、安価であり、また非常に効果的な盗難防止装置を提案することにより、前述した従来の装置における不利益を、解消もしくは緩和することにある。
【課題を解決するための手段】
【０００９】
すなわち本発明は、挿入杆を備えるステアリングコラム用盗難防止装置であって、ステアリングコラム又はステアリングコラムに固定される中間要素の少なくとも内部に、挿入杆の少なくとも一部を嵌合することにより、ステアリングコラムを拘束位置に保ち、かつ、ステアリングコラムを解放位置とすることができ、さらに挿入杆によるステアリングコラムの拘束位置は、施錠手段により施錠されるようになっているものにおいて、可動部材を、少なくとも２つ有しており、この可動部材の少なくとも一部は、挿入杆における嵌合溝の位置を占めることができるようになっており、これら２つの可動部材の少なくとも１つが、嵌合溝に係合しうるように、挿入杆の少なくとも２つの嵌合溝と可動部材との一方又は双方が、軸方向に偏移していることを特徴としている。
【００１０】
ここで、「軸方向に偏移している」とは、これら複数の嵌合溝と、複数の可動部材とのいずれか一方のうち、各々が、互いに異なる高さ、すなわちレベルにあるという事を意味している。これは、複数の嵌合溝と、複数の可動部材とが、同じ高さ又はレベルに位置しているという状態とは、反対の状態を意味している。
【００１１】
本発明の一例によれば、２つの可動部材は当接し、かつ、少なくとも２つの隣接する嵌合溝は、軸方向に偏移している。
【００１２】
ここで、これらの２つの嵌合溝が隣接することは、一方が他方よりも上にあり、嵌合溝に係合している挿入杆のレベル又は高さが異なることを意味している。
【００１３】
本発明の他の形態においては、前記２つの可動部材の一方が、他方よりも上になるように、嵌合溝は軸方向に偏移しており、挿入杆の嵌合溝は並列されている。すなわち、挿入杆の嵌合溝は、挿入杆の一方の面にのみ、または他方の面にまでまたがって設けられた１本のみからなっている。
【００１４】
前述の通り、挿入杆は、その長手軸に沿って配置された複数の嵌合溝を有し、そこに、いずれかの可動部材が係合する。
【００１５】
本発明によると、組織的かつ自動的に、ステアリングコラムを拘束の位置で施錠することができる。また、２つの可動部材の少なくとも一方が、挿入杆又は挿入杆における嵌合溝に当接することにより、挿入杆の設計や形状や寸法が許容範囲内にある限り、挿入杆は、常に正しく施錠される。
【００１６】
さらに、ステアリングコラムロックとこれに接続する盗難防止装置の一方又は双方を破壊しようとする企てがあって、挿入杆を高さ方向にわずかに移動させて、挿入杆の嵌合溝に当初係合されていた可動部材を外すことができたとしても、挿入杆の偏移には若干の遊びがあるため、少なくとも他方の可動部材が、嵌合溝に係合されることとなり、再びステアリングコラムを拘束位置で施錠することになる。
【００１７】
次に本発明を、本発明の好適な実施形態を示す図面に基いて、更に詳細に説明する。
【発明を実施するための最良の形態】
【００１８】
本発明における挿入杆１は、デザイン面および形態に関しては、従来より用いられる挿入杆と同様であるが、複数の嵌合溝２，２’を複数の面の１つに有している点で、従来のものとは異なっている。
【００１９】
嵌合溝２，２’は、図１に示すように、挿入杆１の小さい方の側面３（以下、小側面）の一方に設けることが好ましいが、嵌合溝２，２’を、挿入杆１のこれとは異なる面に設けてもよい。ここでは、挿入杆１は、合計５つの嵌合溝２，２’を有している。
【００２０】
嵌合溝２、２’は、挿入杆１の小側面３を、仮想的に２つの等しい部分に区切る中心線ＸＸ’の、両側に配置され、嵌合溝２の第１の列を右側に形成し、嵌合溝２’の第２の列を左側に形成してある。
【００２１】
嵌合溝２，２’は、可動部材４，４’と協働することにより、嵌合溝２，２’に係合する位置を占めることができる。すなわち、各列の嵌合溝２，２’は、それぞれ可動部材４，４’と協働するようになっている。
【００２２】
このように、可動部材４，４’と同じ数の嵌合溝２，２’のラインが存在し、これら嵌合溝２，２’の各ラインは、可動部材４，４’に対応している。
【００２３】
本発明の例示のために選択した例では、３つの嵌合溝２’が、中心線ＸＸ’によって画定された左側の部分に配置され、また中心線ＸＸ’の右側の部分には、２つの嵌合溝２が配置されている。嵌合溝２，２’の数は、可変的であり、その設計、盗難防止装置、及び添付の図には表わしていないが、ステアリングコラムに対する盗難防止装置の設置要領によって決められる。
【００２４】
可動部材４，４’は、方形の断面を有する板材により構成するのがよい。可動部材４，４’を形成する板材は、相互に平行に配置されている。可動部材４，４’は、挿入杆１の縦軸と直交する方向を向いている。可動部材４，４’の軸は、挿入杆１の横軸と直交している。
【００２５】
嵌合溝２，２’の形状及び寸法は、ここでは同一であるが、前述の通り、各嵌合溝２，２’に対して、別の形状及び寸法としてもよい。ここで重要なことは、可動部材４，４’を前記嵌合溝２，２’に差し込んだ後は、遊びすなわちクリアランスが最小となるよう、各嵌合溝２，２’の寸法を、各嵌合溝に係合されるべき可動部材４，４’の寸法によって決めてあることである。
【００２６】
嵌合溝２，２’は、挿入杆１の小側面３の一方に設けてあることが、理想的であるが、大きい方の側面５（以下、大側面）の一方に設けてもよい。また、挿入杆１の小側面３と大側面５の少なくとも２面に設けてもよい。その場合、可動部材４，４’は、挿入杆１の小側面３又は大側面５に対向するようにされる。
【００２７】
嵌合溝２，２’は、互いに平行をなす右側の列と左側の列として設けられている。嵌合溝２，２’は、各列において、互いに平行である。
【００２８】
各嵌合溝２，２’は、挿入杆１の小側面３の端に至っているので、右側や左側の嵌合溝２，２’の側面は開口していることに注目されたい。
【００２９】
ここで例示されている特徴によれば、嵌合溝２，２’は、可動部材４，４’の数に対応する、Ｎ本の平行線上又は列上に配置されている。
【００３０】
本発明の特徴は、各列に並んでいる嵌合溝２及び２’の、高さすなわちレベルを、相対的に異ならせることにより、挿入杆１の嵌合溝２，２’が、５つの位置をとるようにしてあることにある。
【００３１】
更に、嵌合溝２又は２’のいずれかの列内における嵌合溝間の間隔は、同一であるか、又は、嵌合溝２，２’の寸法に適切に対応している。２つの嵌合溝２，２’間の間隔の大きさと、嵌合溝２，２’の寸法とは、可動部材４、４の寸法と関連している。更に正確に述べると、図６の（ａ）、（ｂ）に示す可動部材４，４’の断面の寸法に関連している。
【００３２】
本発明の例示のために選択した実施の態様では、この全ての寸法は、仮想的に同一としてある。このように、可動部材４，４’の解放動作中は、２つの可動部材４，４’がほぼ同じ高さに位置すると同様に、即ち、これら可動部材が実質的に同一の平面内を可動であるのと同様に、２つの可動部材４，４’の少なくとも一方が、嵌合溝２，２’の一方に嵌合され、可動部材４，４’の他方は、挿入杆１に当接している。
【００３３】
これらの特定の寸法は、嵌合溝２，２’の相対的な位置と同様、２つの可動部材４，４’の利用の結果得られるものである。
【００３４】
可動部材４，４’が３つ以上ある場合には、嵌合溝２、２’の寸法、同一線上の２つの嵌合溝２と２’との間の距離、および嵌合溝２、２’の相対的な位置関係が、異なる場合もあるという事は明白である。
【００３５】
本発明の目的は、可動部材４又は４’の少なくとも一方を、嵌合溝２，２’に自動的に嵌合するように動作をさせることにある。
【００３６】
図２及び図３に示すように、挿入杆がステアリングコラムを拘束する位置にある時、挿入杆の先端は、ステアリングコラムのコラム管の挿入杆専用の開口６を通過し、ステアリングコラムに固定されているカラー７の２つの歯の間に挿通されることにより、ステアリングコラムの一方向または逆方向の回転が阻止される。
【００３７】
挿入杆１がステアリングコラムの拘束の位置にある時、可動部材４，４’の保持片８は、可動部材４，４’を脱出・解放し、２つの可動部材４又は４’の一方は、自動的に、挿入杆１の嵌合溝２，２’の一方に嵌合される。このことは、盗難防止装置の設計、盗難防止装置における案内片９、挿入杆１、又はステアリングコラムの寸法や間隔のいかんに拘わらずなされる。
【００３８】
このように、本発明の装置は、挿入杆１がステアリングコラムの解放の位置では、可動部材４，４’を拘束し、挿入杆１がステアリングコラムの拘束の位置にある時は、可動部材４，４’を解放するための、可動部材４，４’のための保持片８を有している。
【００３９】
拘束の位置で、挿入杆の施錠方式を作動させる機構は、可動部材４，４’を保持する保持片８を有している。この保持片８は、図面には示されないが、挿入杆の進入に対しての保護を行う部品（殻部、蓋部など）の一部である。
【００４０】
この保持片８の特性としては、この部分において、可融性又は脆性の領域が区切られていることである。そのため、挿入杆の作動中に、保持片８を分離することが可能になる。
【００４１】
また、添付の図面には示されていないが、保持片８に、斜角部を設けることにより、保持片８を分離した際、可動部材４，４’の運動を容易に可能とすることができる。
【００４２】
この保持片８の機能は、本出願人により出願された欧州特許公報ＥＰ１１８２１０４における安全部材１７に対するものと同様である。
【００４３】
可動部材４又は４’の少なくとも一方は、移動手段１０が作動することにより、自動的に係合の位置に移動し、嵌合溝２又は２’に係合する。係合の位置に到達しない可動部材４，４’は、挿入杆１の面に当接したままである。
【００４４】
２つの可動部材４，４’のそれぞれは、移動手段１０の動作により、可動部材４，４’を、前述の嵌合溝２，２’の一方に移動させるための力を与える。本発明の例示のために選択された装置では、移動手段１０は、ばねからなっている。
【図面の簡単な説明】
【００４５】
【図１】本発明に従い、複数の嵌合溝を有する挿入杆の斜視図である。
【図２】本発明に従う盗難防止装置の模式図であり、２つの可動部材が解放される直前を示す図である。
【図３】図２と同様の模式図であり、２つの可動部材が解放された際に、２つの可動部材の一方が、挿入杆の嵌合溝に嵌合される状況を表す図である。
【図４】図３において２つの可動部材がある位置を拡大する拡大図であり、左側の可動部材は、挿入杆の嵌合溝に嵌合し、右側の可動部材は、挿入杆の面に向かうようになっていることを示す図である。
【図５】右側の可動部材が、挿入杆の嵌合溝に嵌合し、左側の可動部材が、挿入杆の面に対向している際における、図４と同様の拡大図である。
【図６】（ａ）は図４に、（ｂ）は図５に、それぞれ例示されている可動部材の位置に対応する模式的な断面図である。
【符号の説明】
【００４６】
１  挿入杆
２，２’  嵌合溝
３  小側面
４，４’  可動部材
５  大側面
６  コラム管
７  カラー
８  保持片
９  案内片
１０  移動手段
１７  安全部材
ＸＸ’  中心線
【図１】
2006219121.tif 000003
【図２】
2006219121.tif 000004
【図３】
2006219121.tif 000005
【図４】
2006219121.tif 000006
【図５】
2006219121.tif 000007
【図６】
2006219121.tif 000008